(57)【要約】【課題】自動運転車両に設けられたセンサが故障したときに、乗員に対し早期にセンサ交換等を行わせる。【解決手段】自動運転車両システム１００は、自動運転を継続可能な態様で故障を生じる可能性を有するＡＴＦ油温センサ３２ａと、ＡＴＦ油温センサ３２ａが故障したか否かを判定する判定部４０１と、判定部４０１によりＡＴＦ油温センサ３２ａが故障したと判定されると、故障していないと判定されるときよりも、乗員の快適性を悪化させるような態様で変速用アクチュエータ２３を制御するアクチュエータ制御部４０２と、を備える。【選択図】図３
2019127144.tif 000002
【特許請求の範囲】
【請求項１】
自動運転車両の走行駆動系の作動を制御する自動運転車両システムであって、
自動運転を継続可能な態様で故障を生じる可能性を有する機器と、
前記機器が故障したか否かを判定する判定部と、
前記判定部により前記機器が故障したと判定されると、故障していないと判定されるときよりも、乗員の快適性を悪化させるような態様で前記走行駆動系の作動を制御する制御部と、を備えることを特徴とする自動運転車両システム。
【請求項２】
請求項１に記載の自動運転車両システムにおいて、
前記機器は、車両状態を検出するセンサを含み、
前記走行駆動系は、走行駆動トルクを発生させる駆動源を有し、
前記制御部は、前記判定部により前記センサが故障したと判定されると、前記駆動源の挙動を悪化させることを特徴とする自動運転車両システム。
【請求項３】
請求項１に記載の自動運転車両システムにおいて、
前記機器は、車両状態を検出するセンサを含み、
前記走行駆動系は、走行駆動トルクを発生させる駆動源と、前記駆動源と駆動輪との間の動力伝達径路に配置された変速機とを有し、
前記制御部は、前記判定部により前記センサが故障したと判定されると、前記変速機の挙動を悪化させることを特徴とする自動運転車両システム。
【請求項４】
請求項２または３に記載の自動運転車両システムにおいて、
前記制御部は、前記判定部により前記センサが故障したと判定されるまで、前記センサから出力された信号に基づいて前記走行駆動系の作動を制御し、前記判定部により前記センサが故障したと判定されると、所定の代替信号に基づいて前記走行駆動系の作動を制御することを特徴とする自動運転車両システム。
【請求項５】
請求項１〜４のいずれか１項に記載の自動運転車両システムにおいて、
前記判定部により前記機器が故障したと判定されると、乗員に対し故障の発生を報知する報知部をさらに備えることを特徴とする自動運転車両システム。
【発明の詳細な説明】
【技術分野】
【０００１】
本発明は、自動運転車両システムに関する。
【背景技術】
【０００２】
従来より、センサの不良により自動運転の継続が困難と判断されたとき、他のセンサの情報を用いて自動運転を継続可能に構成されたシステムが知られている（例えば特許文献１参照）。この特許文献１記載のシステムでは、センサの故障時に車内通知装置を介してセンサの異常を乗員に報知する。
【先行技術文献】
【特許文献】
【０００３】
特許文献１：特開２０１７−１６５２９６号公報
【発明の概要】
【発明が解決しようとする課題】
【０００４】
ところで、例えば自動運転中にセンサが故障した場合、センサの交換等を行って、できるだけ早期に不具合に対処することが望ましい。しかしながら、センサの故障時に自動運転を継続できる場合、上記特許文献１記載のシステムのように、センサ故障を乗員に報知したとしても、乗員は早期の不具合への対処の必要性を感じ難い。その結果、不具合への対処が遅れ、車両に大きなダメージを与えるおそれがある。
【課題を解決するための手段】
【０００５】
本発明の一態様は、自動運転車両の走行駆動系の作動を制御する自動運転車両システムであって、自動運転を継続可能な態様で故障を生じる可能性を有する機器と、機器が故障したか否かを判定する判定部と、判定部により機器が故障したと判定されると、故障していないと判定されるときよりも、乗員の快適性を悪化させるような態様で走行駆動系の作動を制御する制御部と、を備える。
【発明の効果】
【０００６】
本発明によれば、自動運転を継続可能な態様で何らかの機器が故障したとき、乗員に対し機器の不具合に対処するような早期の行動を促すことができ、不具合への対処が遅れることによって車両に大きなダメージを与えられることを防止できる。
【図面の簡単な説明】
【０００７】
【図１】本発明の実施形態に係る自動運転車両システムが適用される自動運転車両の走行系の概略構成を示す図。
【図２】本発明の実施形態に係る自動運転車両システムの全体構成を概略的に示すブロック図。
【図３】図２の自動運転車両システムに含まれる故障対処促進装置の要部構成を示すブロック図。
【図４】図２の記憶部に記憶されたシフトマップの一例を示す図。
【図５】図３のコントローラで実行される処理の一例を示すフローチャート。
【発明を実施するための形態】
【０００８】
以下、図１〜図５を参照して本発明の実施形態について説明する。本発明の実施形態に係る自動運転車両システムは、自動運転機能を有する車両（自動運転車両）に適用される。図１は、本実施形態に係る自動運転車両システムが適用される自動運転車両２００（単に車両と呼ぶこともある）の走行系の概略構成を示す図である。車両２００は、ドライバによる運転操作が不要な自動運転モードでの走行だけでなく、ドライバの運転操作による手動運転モードでの走行も可能である。
【０００９】
図１に示すように、車両２００は、エンジン１と、変速機２とを有する。エンジン１は、スロットルバルブ１１を介して供給される吸入空気とインジェクタ１２から噴射される燃料とを適宜な割合で混合し、点火プラグ等により点火して燃焼させ、これにより回転動力を発生する内燃機関（例えばガソリンエンジン）である。なお、ガソリンエンジンに代えてディーゼルエンジン等、各種エンジンを用いることもできる。吸入空気量はスロットルバルブ１１により調節され、スロットルバルブ１１の開度は、電気信号により作動するスロットル用アクチュエータ１３の駆動によって変更される。スロットルバルブ１１の開度およびインジェクタ１２からの燃料の噴射量（噴射時期、噴射時間）はコントローラ４０（図２）により制御される。
【００１０】
変速機２は、エンジン１と駆動輪３との間の動力伝達径路に設けられ、エンジン１からの回転を変速し、かつエンジン１からのトルクを変換して出力する。変速機２で変速された回転は駆動輪３に伝達され、これにより車両２００が走行する。なお、エンジン１の代わりに、あるいはエンジン１に加えて、駆動源としての走行用モータを設け、電気自動車やハイブリッド自動車として車両２００を構成することもできる。
【００１１】
変速機２は、例えば複数の変速段（例えば６段）に応じて変速比を段階的に変更可能な有段変速機である。なお、変速比を無段階に変更可能な無段変速機を、変速機２として用いることもできる。図示は省略するが、トルクコンバータを介してエンジン１からの動力を変速機２に入力してもよい。変速機２は、例えばドグクラッチや摩擦クラッチなどの係合要素２１を備え、油圧制御装置２２が油圧源から係合要素２１への油の流れを制御することにより、変速機２の変速段を変更することができる。油圧制御装置２２は、電気信号により作動するソレノイドバルブなどの変速機用のバルブ機構（便宜上、変速用アクチュエータ２３と呼ぶ）を有し、変速用アクチュエータ２３の作動に応じて係合要素２１への圧油の流れを変更することで、適宜な変速段を設定できる。
【００１２】
図２は、本発明の実施形態に係る自動運転車両システム１００の全体構成を概略的に示すブロック図である。図２に示すように、自動運転車両システム１００は、コントローラ４０と、コントローラ４０にそれぞれ電気的に接続された外部センサ群３１と、内部センサ群３２と、入出力装置３３と、ＧＰＳ受信機３４と、地図データベース３５と、ナビゲーション装置３６と、通信ユニット３７と、走行用アクチュエータＡＣとを主に有する。
【００１３】
外部センサ群３１は、自車両の周辺情報である外部状況を検出する複数のセンサの総称である。例えば外部センサ群３１には、自車両の全方位の照射光に対する散乱光を測定して自車両から周辺の障害物までの距離を測定するライダ、電磁波を照射し反射波を検出することで自車両の周辺の他車両や障害物等を検出するレーダ、自車両に搭載され、ＣＣＤやＣＭＯＳ等の撮像素子を有して自車両の周辺（前方、後方および側方）を撮像するカメラなどが含まれる。自車両から前方車両までの車間距離は、ライダ、レーダおよび車載カメラのいずれによっても測定可能である。
【００１４】
内部センサ群３２は、自車両の走行状態を検出する複数のセンサの総称である。例えば内部センサ群３２には、自車両の車速を検出する車速センサ、自車両の前後方向の加速度および左右方向の加速度（横加速度）をそれぞれ検出する加速度センサ、エンジン１の回転数を検出するエンジン回転数センサ、自車両の重心の鉛直軸回りの回転角速度を検出するヨーレートセンサ、スロットルバルブ１１の開度（スロットル開度）を検出するスロットル開度センサ、自動変速機用オイルＡＴＦ（Automatic Transmission Fluid）の温度を検出するＡＴＦ油温センサなどが含まれる。手動運転モードでのドライバの運転操作、例えばアクセルペダルの操作、ブレーキペダルの操作、ステアリングの操作等を検出するセンサも内部センサ群３２に含まれる。
【００１５】
入出力装置３３は、ドライバから指令が入力されたり、ドライバに対し情報が出力されたりする装置の総称である。例えば入出力装置３３には、操作部材の操作によりドライバが各種指令を入力する各種スイッチ、ドライバが音声で指令を入力するマイク、ドライバに表示画像を介して情報を提供する表示部、ドライバに音声で情報を提供するスピーカなどが含まれる。各種スイッチには、自動運転モードおよび手動運転モードのいずれかを指令する手動自動切換スイッチが含まれる。
【００１６】
手動自動切換スイッチは、例えばドライバが手動操作可能なスイッチとして構成され、スイッチ操作に応じて、自動運転機能を有効化した自動運転モードまたは自動運転機能を無効化した手動運転モードへの切換指令を出力する。手動自動切換スイッチの操作によらず、所定の走行条件が成立したときに、手動運転モードから自動運転モードへの切換、あるいは自動運転モードから手動運転モードへの切換が指令されるようにしてもよい。すなわち、手動自動切換スイッチが自動的に切り換わることで、モード切換が手動ではなく自動で行われるようにしてもよい。
【００１７】
ＧＰＳ受信機３４は、複数のＧＰＳ衛星からの測位信号を受信し、これにより自車両の絶対位置（緯度、経度など）を測定する。
【００１８】
地図データベース３５は、ナビゲーション装置３６に用いられる一般的な地図情報を記憶する装置であり、例えばハードディスクにより構成される。地図情報には、道路の位置情報、道路形状（曲率など）の情報、交差点や分岐点の位置情報が含まれる。なお、地図データベース３５に記憶される地図情報は、コントローラ４０の記憶部４２に記憶される高精度な地図情報とは異なる。
【００１９】
ナビゲーション装置３６は、ドライバにより入力された目的地までの道路上の目標経路を探索するとともに、目標経路に沿った案内を行う装置である。目的地の入力および目標経路に沿った案内は、入出力装置３３を介して行われる。目標経路は、ＧＰＳ受信機３４により測定された自車両の現在位置と、地図データベース３５に記憶された地図情報とに基づいて演算される。
【００２０】
通信ユニット３７は、インターネット回線などの無線通信網を含むネットワークを介して図示しない各種サーバと通信し、地図情報および交通情報などを定期的に、あるいは任意のタイミングでサーバから取得する。取得した地図情報は、地図データベース３５や記憶部４２に出力され、地図情報が更新される。取得した交通情報には、渋滞情報や、信号が赤から青に変わるまでの残り時間等の信号情報が含まれる。
【００２１】
アクチュエータＡＣは、車両２００の走行動作に関する各種機器を作動するためのものである。アクチュエータＡＣには、図１に示すエンジン１のスロットルバルブ１１の開度（スロットル開度）を調整するスロットル用アクチュエータ１３、係合要素２１への油の流れを制御して変速機２の変速段を変更する変速用アクチュエータ２３の他、制動装置を作動するブレーキ用アクチュエータ、およびステアリング装置を駆動する操舵用アクチュエータなどが含まれる。
【００２２】
コントローラ４０は、電子制御ユニット（ＥＣＵ）により構成される。なお、エンジン制御用ＥＣＵ、変速機制御用ＥＣＵ等、機能の異なる複数のＥＣＵを別々に設けることができるが、図２では、便宜上、これらＥＣＵの集合としてコントローラ４０が示される。コントローラ４０は、ＣＰＵ等の演算部４１と、ＲＯＭ，ＲＡＭ，ハードディスク等の記憶部４２と、図示しないその他の周辺回路とを有するコンピュータを含んで構成される。
【００２３】
記憶部４２には、車線の中央位置の情報や車線位置の境界の情報等を含む高精度の詳細な地図情報が記憶される。より具体的には、地図情報として、道路情報、交通規制情報、住所情報、施設情報、電話番号情報等が記憶される。道路情報には、高速道路、有料道路、国道などの道路の種別を表す情報、道路の車線数、各車線の幅員、道路の勾配、道路の３次元座標位置、車線のカーブの曲率、車線の合流ポイントおよび分岐ポイントの位置、道路標識等の情報が含まれる。交通規制情報には、工事等により車線の走行が制限または通行止めとされている情報などが含まれる。記憶部４２には、変速動作の基準となるシフトマップ（変速線図）、各種制御のプログラム、プログラムで用いられる閾値等の情報も記憶される。
【００２４】
演算部４１は、自動走行に関する機能的構成として、自車位置認識部４３と、外界認識部４４と、行動計画生成部４５と、走行制御部４６とを有する。なお、図示は省略するが、演算部４１は、表示制御部なども有する。
【００２５】
自車位置認識部４３は、ＧＰＳ受信機３４で受信した自車両の位置情報および地図データベース３５の地図情報に基づいて、地図上の自車両の位置（自車位置）を認識する。記憶部４２に記憶された地図情報（建物の形状などの情報）と、外部センサ群３１が検出した車両の周辺情報とを用いて自車位置を認識してもよく、これにより自車位置を高精度に認識することができる。なお、道路上や道路脇の外部に設置されたセンサで自車位置を測定可能であるとき、そのセンサと通信ユニット３７を介して通信することにより、自車位置を高精度に認識することもできる。
【００２６】
外界認識部４４は、ライダ、レーダ、カメラ等の外部センサ群３１からの信号に基づいて自車両の周囲の外部状況を認識する。例えば自車両の周辺を走行する周辺車両（前方車両や後方車両）の位置や速度や加速度、自車両の周囲に停車または駐車している周辺車両の位置、および他の物体の位置や状態などを認識する。他の物体には、標識、信号機、道路の境界線や停止線、建物、ガードレール、電柱、看板、歩行者、自転車等が含まれる。他の物体の状態には、信号機の色（赤、青、黄）、歩行者や自転車の移動速度や向きなどが含まれる。
【００２７】
行動計画生成部４５は、例えばナビゲーション装置３６で演算された目標経路と、自車位置認識部４３で認識された自車位置と、外界認識部４４で認識された外部状況とに基づいて、現時点から所定時間先までの自車両の走行軌道（目標軌道）を生成する。目標経路上に目標軌道の候補となる複数の軌道が存在するときには、行動計画生成部４５は、その中から法令を順守し、かつ効率よく安全に走行する等の基準を満たす最適な軌道を選択し、選択した軌道を目標軌道とする。そして、行動計画生成部４５は、生成した目標軌道に応じた行動計画を生成する。
【００２８】
行動計画には、現時点から所定時間Ｔ（例えば５秒）先までの間に単位時間Δｔ（例えば０．１秒）毎に設定される走行計画データ、すなわち単位時間Δｔ毎の時刻に対応付けて設定される走行計画データが含まれる。走行計画データは、単位時間Δｔ毎の自車両の位置データと車両状態のデータとを含む。位置データは、例えば道路上の２次元座標位置を示す目標点のデータであり、車両状態のデータは、車速を表す車速データと自車両の向きを表す方向データなどである。車両状態のデータは、単位時間Δｔ毎の位置データの変化から求めることができる。走行計画は単位時間Δｔ毎に更新される。
【００２９】
行動計画生成部４５は、現時点から所定時間Ｔ先までの単位時間Δｔ毎の位置データを時刻順に接続することにより、目標軌道を生成する。このとき、目標軌道上の単位時間Δｔ毎の各目標点の車速（目標車速）に基づいて、単位時間Δｔ毎の加速度（目標加速度）を算出する。すなわち、行動計画生成部４５は、目標車速と目標加速度とを算出する。なお、目標加速度を走行制御部４６で算出するようにしてもよい。
【００３０】
行動計画生成部４５は、前方車両を追い越すための追い越し走行、走行車線を変更する車線変更走行、走行車線を逸脱しないように車線を維持するレーンキープ走行、減速走行または加速走行等に対応した種々の行動計画を生成する。行動計画生成部４５は、目標軌道を生成する際に、まず走行態様を決定し、走行態様に基づいて目標軌道を生成する。例えばレーンキープ走行に対応した行動計画を作成する際には、まず定速走行、追従走行、減速走行、カーブ走行等の走行態様を決定する。
【００３１】
具体的には、行動計画生成部４５は、車両２００の前方に他車両（前方車両）が存在しない場合に、走行態様を定速走行に決定し、前方車両が存在する場合に、追従走行に決定する。追従走行においては、例えば車速に応じて前方車両との間の車間距離を適切に制御するように、行動計画生成部４５が走行計画データを生成する。なお、車速に応じた目標車間距離は、予め記憶部４２に記憶される。
【００３２】
走行制御部４６は、自動運転モードにおいて、行動計画生成部４５で生成された目標軌道に沿って自車両が走行するように各アクチュエータＡＣを制御する。すなわち、単位時間Δｔ毎の目標点を車両２００が通過するように、スロットル用アクチュエータ１３、変速用アクチュエータ２３、ブレーキ用アクチュエータ、および操舵用アクチュエータなどをそれぞれ制御する。
【００３３】
より具体的には、走行制御部４６は、自動運転モードにおいて道路勾配などにより定まる走行抵抗を考慮して、行動計画生成部４５で算出された単位時間Δｔ毎の目標加速度を得るための要求駆動力を算出する。そして、例えば内部センサ群３２により検出された実加速度が目標加速度となるようにアクチュエータＡＣをフィードバック制御する。すなわち、自車両が目標車速および目標加速度で走行するようにアクチュエータＡＣを制御する。なお、手動運転モードでは、走行制御部４６は、内部センサ群３２により取得されたドライバからの走行指令（アクセル開度等）に応じて各アクチュエータＡＣを制御する。
【００３４】
このように構成された自動運転車両システムにおいて、例えば内部センサ群３２を構成するセンサ（例えばＡＴＦ油温センサ）が断線等により故障すると、コントローラ４０は、センサ出力信号の異常により当該センサの故障を検知し、入出力装置３３を介してセンサの故障情報を乗員に報知する。これにより乗員にセンサ交換等を促す。このとき、故障したセンサの出力信号として予め定められた代替値が代入され、代替値に基づいてアクチュエータＡＣ（例えば変速用アクチュエータ２３）が制御される。このため、一部のセンサが故障した場合であっても、車両２００の自動運転を継続することができる。
【００３５】
このように一部のセンサが故障した場合には、自動運転を継続できるとしても車両２００のダメージが拡大することを防ぐため、センサ交換等により、できるだけ早期に故障に対処することが望ましい。しかしながら、単に入出力装置３３を介してセンサの故障情報を乗員に報知するだけで、センサ故障の前後で車両の挙動に差がない場合、乗員は車両の挙動に不満を感じず、センサ故障への対処が遅れるおそれがある。そこで、本実施形態では、センサ故障等の不具合への対処を乗員に早期に行わせるようにするため、以下のように自動運転車両システム１００を構成する。
【００３６】
自動運転車両システム１００は、故障への対処を乗員に促進するための故障対処促進装置を有する。図３は、故障対処促進装置１０１の要部構成を示すブロック図である。なお、以下では、一例として内部センサ群３２の一部であるＡＴＦ油温センサ３２ａの故障時の態様について説明する。
【００３７】
図３に示すように、コントローラ４０には、ＡＴＦ油温センサ３２ａからの信号が入力される。コントローラ４０は、機能的構成として、判定部４０１と、アクチュエータ制御部４０２と、表示制御部４０３とを有する。判定部４０１とアクチュエータ制御部４０２とは、例えば図２の走行制御部４６の一部である。
【００３８】
判定部４０１は、ＡＴＦ油温センサ３２ａからの入力信号に基づいて、ＡＴＦ油温センサ３２ａの故障の有無を判定する。すなわち、ＡＴＦ油温センサ３２ａの断線等が生じると、正常範囲を規定する閾値を超えてセンサ信号が出力されるため、判定部４０１は、センサ信号が閾値を超えたか否かによりＡＴＦ油温センサ３２ａの故障の有無を判定する。
【００３９】
アクチュエータ制御部４０２は、判定部４０１による判定結果に応じてアクチュエータＡＣ（例えば変速用アクチュエータ２３）を制御する。例えばＡＴＦ油温センサ３２ａの正常時には、ＡＴＦ油温センサ３２ａの検出信号に基づいてアクチュエータＡＣを制御する。一方、ＡＴＦ油温センサ３２ａの故障時には、所定の代替値をセンサ信号（ＡＴＦ検出油温）として用い、このセンサ信号に基づいてアクチュエータＡＣを制御する。このとき、ＡＴＦ油温センサ３２ａの正常時よりも、アップシフトのタイミングを遅らせる。この点について具体的に説明する。
【００４０】
図４は、予め記憶部４２（図２）に記憶された自動運転モード時におけるシフトマップの一例を示す図である。図中、横軸は車速Ｖ、縦軸は要求駆動力Ｆである。なお、要求駆動力Ｆはアクセル開度（自動運転モードでは擬似的アクセル開度）またはスロットル開度に一対一で対応し、アクセル開度またはスロットル開度が大きくなるに従い要求駆動力Ｆは大きくなる。特性ｆ１は、ｎ＋１段からｎ段へのダウンシフトに対応するダウンシフト線の一例であり、特性ｆ２，ｆ３は、それぞれｎ段からｎ＋１段へのアップシフトに対応するアップシフト線の一例である。特性ｆ３は、特性ｆ２よりも高車速側にずらして設定される。
【００４１】
図４に示すように、例えば作動点Ｑ１からのダウンシフトに関し、要求駆動力Ｆが一定のまま車速Ｖが減少して、作動点Ｑ１がダウンシフト線（特性ｆ１）を超えると（矢印Ａ）、変速機２がｎ＋１段からｎ段へとダウンシフトする。車速Ｖが一定のまま要求駆動力Ｆが増加した場合も、作動点Ｑ１がダウンシフト線を超えて、変速機２がダウンシフトする。
【００４２】
一方、例えば作動点Ｑ２からのアップシフトに関し、要求駆動力Ｆが一定のまま車速Ｖが増加して、作動点Ｑ２がアップシフト線（特性ｆ２，ｆ３）を越えると（矢印Ｂ）、変速機２はｎ段からｎ＋１段へとアップシフトする。車速Ｖが一定のまま要求駆動力Ｆが減少した場合も、作動点Ｑ２がアップシフト線を越えて変速機２がアップシフトする。なお、変速段が大きいほど（ハイ側であるほど）、ダウンシフト線およびアップシフト線は、高車速側にずらして設定される。
【００４３】
アクチュエータ制御部４０２は、判定部４０１によりＡＴＦ油温センサ３２ａが正常と判定されると、特性ｆ２に従い変速機２をアップシフトさせる。一方、判定部４０１によりＡＴＦ油温センサ３２ａが故障と判定されると、特性ｆ３に従い変速機２をアップシフトさせる。これによりＡＴＦ油温センサ３２ａの故障時には正常時よりもアップシフトのタイミングが遅れ、エンジン回転数が高くなる。なお、アクチュエータ制御部４０２は、ＡＴＦ油温センサ３２ａの故障の有無に応じてアップシフトのタイミングを変更するだけであり、走行駆動力や車速を制限するような制御を行うわけではない。
【００４４】
表示制御部４０３は、判定部４０１によりＡＴＦ油温センサ３２ａが故障と判定されると、入出力装置３３の一部である表示部３３ａに制御信号を出力し、ＡＴＦ油温センサ３２ａが故障である旨を表示部３３ａに表示させる。これにより、乗員はＡＴＦ油温センサ３２ａの故障の有無を認識することができる。さらに乗員は、表示部３３ａの表示を介して、アップシフトのタイミングが遅くなった原因、すなわち、ＡＴＦ油温センサ３２ａの故障が原因でアップシフトのタイミングが遅くなったことを容易に判断できる。なお、故障したセンサの交換を促すメッセージ、あるいは、センサの交換をしない限りアップシフトのタイミングが遅くなる旨のメッセージを、表示部３３ａに表示させるようにしてもよい。
【００４５】
図５は、予め記憶部４２に格納されたプログラムに従い、図３のコントローラ４０のＣＰＵで実行される処理の一例、特に変速機２のアップシフトに関する処理の一例を示すフローチャートである。このフローチャートに示す処理は、例えば運転モードが自動運転モードに切り換わると開始される。
【００４６】
まずステップＳ１で、判定部４０１が、ＡＴＦ油温センサ３２ａが故障したか否かを判定する。ステップＳ１で否定されるとステップＳ２に進み、アクチュエータ制御部４０２が、図４の特性ｆ１，ｆ２に従い変速制御を実行する。すなわち、特性ｆ１に従い変速機２がダウンシフトし、特性ｆ２に従いアップシフトするように、アクチュエータ制御部４０２が変速用アクチュエータ２３に制御信号を出力する。
【００４７】
一方、ステップＳ１で肯定されるとステップＳ３に進み、アクチュエータ制御部４０２が、図４の特性ｆ１，ｆ３に従い変速制御を実行する。すなわち、特性ｆ１に従い変速機２がダウンシフトし、特性ｆ３に従いアップシフトするように、アクチュエータ制御部４０２が変速用アクチュエータ２３に制御信号を出力する。これにより、ＡＴＦ油温センサ３２ａの故障時におけるアップシフトのタイミングが遅れる。次いで、ステップＳ４で、表示制御部４０３が、表示部３３ａに制御信号を出力し、ＡＴＦ油温センサ３２ａの故障情報を表示させる。
【００４８】
本発明の実施形態に係る自動運転車両システムの動作をより具体的に説明する。車両２００が自動運転モードで走行中にＡＴＦ油温センサ３２ａに故障が生じると、ＡＴＦ油温センサ３２ａの出力に所定の代替値が代入され、自動運転モードでの走行が継続される。このとき、ＡＴＦ油温センサ３２ａが故障した旨が表示部３３ａに表示されるとともに、変速機２が特性ｆ３に従いアップシフトするようになり、ＡＴＦ油温センサ３２ａが正常であるときよりも、変速機２のアップシフトのタイミングが遅れる（ステップＳ３，ステップＳ４）。
【００４９】
その結果、エンジン回転数が高い状態で走行する頻度が高まり、騒音や燃費の悪化等により乗員の快適性が悪化する。このとき、乗員は、表示部３３ａの表示を介して、快適性を改善するためにはＡＴＦ油温センサ３２ａの交換等が必要であることを認識する。これにより乗員は、車両２００をディーラーまで走行させる等、ＡＴＦ油温センサ３２ａの交換や修理のために必要な行動を早期にとるようになる。このため、ＡＴＦ油温センサ３２ａの故障に早期に対処することができ、複合的な故障によって車両に大きなダメージが与えられることを未然に防止できる。すなわち、代替値のセンサ信号に基づいてアクチュエータＡＣを制御し続けることにより、車両２００にダメージが蓄積されて修理が困難となるなどの望ましくない事態が生じることを避けることができる。
【００５０】
本実施形態によれば以下のような作用効果を奏することができる。
（１）本実施形態に係る自動運転車両システム１００は、自動運転車両２００の走行駆動系の作動を制御するものであり、自動運転を継続可能な態様で故障を生じる可能性を有するＡＴＦ油温センサ３２ａと、ＡＴＦ油温センサ３２ａが故障したか否かを判定する判定部４０１と、判定部４０１によりＡＴＦ油温センサ３２ａが故障したと判定されると、故障していないと判定されるときよりも、乗員の快適性を悪化させるような態様で変速用アクチュエータ２３の作動を制御するアクチュエータ制御部４０２と、を備える（図３）。
【００５１】
この構成により、ＡＴＦ油温センサ３２ａの故障時に、乗員は快適性の悪化を防ぐために、ＡＴＦ油温センサ３２ａの交換等の必要な行為を早期に行うようになる。このため、センサ故障の不具合に早期に対処することができ、車両２００に大きなダメージを与えることを未然に防ぐことができる。また、センサ故障時には、走行駆動力や車速を制限するのではなく、アップシフトのタイミングを遅らせて乗員の快適性を悪化させるだけなので、車両走行性能が維持され、乗員に余計な不安感を与えることがない。
【００５２】
（２）車両２００は、走行駆動系として、走行駆動トルクを発生させるエンジン１と、エンジン１と駆動輪３との間の動力伝達径路に配置された変速機２とを有する（図２）。アクチュエータ制御部４０２は、判定部４０１によりＡＴＦ油温センサ３２ａが故障したと判定されると、変速機２の挙動を悪化させる。より具体的には、変速機２のアップシフトのタイミングを遅らせる。このため、エンジン回転数が高くなりやすく、騒音や振動の増大等により乗員の快適性が損なわれる。これにより、ＡＴＦ油温センサ３２ａの故障に対処するような早期の行動を乗員に促すことができ、その結果、乗員は快適性を改善するために早期にセンサ交換等を行うようになる。
【００５３】
（３）アクチュエータ制御部４０２は、判定部４０１によりＡＴＦ油温センサ３２ａが故障したと判定されるまで、ＡＴＦ油温センサ３２ａから出力された検出信号に基づいてエンジン１や変速機２等の作動を制御し、判定部４０１によりＡＴＦ油温センサ３２ａが故障したと判定されると、所定の代替信号に基づいてエンジン１や変速機２等の作動を制御する。これにより、ＡＴＦ油温センサ３２ａが故障してセンサ信号の出力が異常になった場合であっても、自動運転をそのまま継続することができる。このような場合、乗員はセンサ交換の必要性を感じ難いため、センサ交換を促す必要性が特に高まるが、本実施形態では、乗員の快適性を悪化させるため、乗員は早期のセンサ交換を行うようなる。
【００５４】
（４）自動運転車両システム１００は、判定部４０１によりＡＴＦ油温センサ３２ａが故障したと判定されると、乗員に対し故障の発生を報知するように表示部３３ａを制御する表示制御部４０３をさらに備える。これにより、乗員は、車両の挙動が変化した原因を容易に認識することができ、車両挙動の変化による不快感を解消するために、センサ交換等の必要な措置を適切にとるようになる。
【００５５】
上記実施形態は種々の形態に変更することができる。以下、変形例について説明する。上記実施形態では、ＡＴＦ油温センサ３２ａの故障時にアップシフトのタイミングを遅らせることで、エンジン回転数を高めて乗員に不快感を与えるようしたが、変速用クラッチ（係合要素２１）の作動速度を速めて変速時にショックが生じるように変速用アクチュエータ２３を制御し、これにより乗員に不快感を与えるようにしてもよい。変速機２が無段変速機（例えば電子制御電磁クラッチ式無段変速機（ｅＣＶＴ））である場合、センサ故障時に、エンジン回転数がセンサ正常時よりも所定回転数（例えば５００ｒｐｍ）だけ高くなるようにアクチュエータ制御部４０２がスロットル用アクチュエータ１３を制御してもよい。
【００５６】
上記実施形態では、判定部４０１によりセンサ故障と判定されると、アクチュエータ制御部４０２が変速機２の挙動を悪化させるように変速用アクチュエータ２３を制御したが、エンジン１の挙動を悪化させるようにスロットル用アクチュエータ１３を制御してもよい。例えば、変速時にエンジン回転数を所定回転数（例えば３００ｒｐｍ）以上吹き上がらせるようにしてもよい。このような吹き上がりは乗員にとって不快と感じやすいため、センサ交換を行うための乗員にとっての動機付けが強まり、乗員はセンサ故障の不具合に早期に対処するようになる。なお、駆動源として走行モータを用いる場合、エンジンの挙動を悪化させる代わりに、走行モータの挙動を悪化させるようにしてもよい。
【００５７】
なお、上記実施形態では、ＡＴＦ油温センサ３２ａが故障した場合について説明したが、本発明は、自動運転を継続可能な態様で故障を生じる可能性を有する他の機器が故障した場合にも、同様に適用することができる。以下、本発明が適用可能ないくつかの機器の故障を例示する。故障時に代替値で制御可能な機器の故障の例として、上述したＡＴＦ油温センサ３２ａの故障以外に、油圧制御装置２２に含まれる潤滑回路切替え用のソレノイドの故障がある。冗長系が組まれている場合に機器が故障した場合にも本発明を適用することができ、その例として、車速センサの故障、回転センサの故障、油圧センサの故障、油圧スイッチの故障、パーキング判定センサの故障、リバース位置センサの故障がある。走行中の車両挙動に影響を与えない機器が故障した場合にも本発明を適用することができ、その例として、パーキングアクチュエータの故障がある。さらに限られた状況で用いられない機器に故障が生じた場合にも本発明を適用することができ、その例として、ＡＷＤ（all-wheel drive）用の機器（例えばクラッチソレノイド）の故障がある。これらの機器が故障したか否かを、判定部４０１が判定するようにしてもよい。この場合、判定部４０１は、センサ信号が閾値を超えたか否か等、何らかの手法により機器が故障したか否かを判定すればよい。
【００５８】
上記実施形態では、判定部４０１によりＡＴＦ油温センサ３２ａが故障したと判定されると、故障していないと判定されるときよりも、アクチュエータ制御部４０２が変速機２のアップシフトのタイミングを遅らせるようにした。すなわち、変速機の挙動を悪化させるようにしたが、乗員の快適性を悪化させるような態様で他の走行駆動系の作動を制御するようにしてもよく、制御部の構成は上述したものに限らない。時間経過に伴い快適性の悪化の程度が徐々に大きくなるように、走行駆動系の作動を制御してもよい。故障部位に応じて快適性の悪化の程度を変更するようにしてもよい。上記実施形態では、判定部４０１によりセンサ故障が判定されると、表示部３３ａを介して乗員に対し故障の発生を報知するようにしたが、報知部の構成はこれに限らない。
【００５９】
以上の説明はあくまで一例であり、本発明の特徴を損なわない限り、上述した実施形態および変形例により本発明が限定されるものではない。上記実施形態と変形例の１つまたは複数を任意に組み合わせることも可能であり、変形例同士を組み合わせることも可能である。
【符号の説明】
【００６０】
１  エンジン、２  変速機、２３  変速用アクチュエータ、３２ａ  ＡＴＦ油温センサ、３３ａ  表示部、４０  コントローラ、１００  自動運転車両システム、２００  自動運転車両、４０１  判定部、４０２  アクチュエータ制御部、４０３  表示制御部
【図１】
2019127144.tif 000003
【図２】
2019127144.tif 000004
【図３】
2019127144.tif 000005
【図４】
2019127144.tif 000006
【図５】
2019127144.tif 000007